(57)【要約】【課題】予混合圧縮自己着火燃焼において優れた着火性を有し、エンジン出力並びにエンジン回転領域をできるだけ広げ、エンジン熱効率の向上を達成することができる予混合圧縮自己着火式エンジン用燃料を提供すること。【解決手段】以下の（ａ）〜（ｄ）の要件を具備する燃料により上記課題が解決できる。（ａ）含有量が５容量％以下の炭化水素の合計含有量が３０容量％以上（ｂ）リサーチ法オクタン価が６０以上９０未満（ｃ）下記式（１）で示されるＨＣＣＩ  Ｉｎｄｅｘが２０以上５５以下    HCCI Index＝ＭＯＮ−0.424×Ａ−0.377×Ｂ−0.202×Ｃ−0.205×Ｄ   （１）（式（１）中、ＭＯＮはモーター法オクタン価による計測値、Ａはノルマルパラフィン含有量（容量％）、Ｂはイソパラフィン含有量（容量％）、Ｃはオレフィン含有量（容量％）、Ｄは芳香族含有量（容量％）を表す。）（ｄ）ナフテンの含有量が０容量％以上２０容量％以下【選択図】なし【特許請求の範囲】
【請求項１】
以下の（ａ）、（ｂ）、（ｃ）および（ｄ）を満足することを特徴とする予混合圧縮自己着火式エンジン用燃料。
（ａ）含有量が５容量％以下の炭化水素の合計含有量が３０容量％以上
（ｂ）リサーチ法オクタン価が６０以上９０未満
（ｃ）下記式（１）で示されるＨＣＣＩ  Ｉｎｄｅｘが２０以上５５以下
HCCI Index＝ＭＯＮ−0.424×Ａ−0.377×Ｂ−0.202×Ｃ−0.205×Ｄ   （１）
（式（１）中、ＭＯＮはモーター法オクタン価による計測値、Ａはノルマルパラフィン含有量（容量％）、Ｂはイソパラフィン含有量（容量％）、Ｃはオレフィン含有量（容量％）、Ｄは芳香族含有量（容量％）を表す。）
（ｄ）ナフテンの含有量が０容量％以上２０容量％以下
【請求項２】
初留点が４５℃以下であり、終点が２１０℃以下であることを特徴とする請求項１に記載の予混合圧縮自己着火式エンジン用燃料。
【請求項３】
式（２）で示されるＮＤＩが１００以上であることを特徴とする請求項１または２に記載の予混合圧縮自己着火式エンジン用燃料。
ＮＤＩ＝４×Ｅ１＋３×Ｅ２＋２×Ｅ３−１×Ｅ４−４×Ｅ５    （２）
（式（２）中、Ｅ１は沸点７０℃未満の留分（容量％）、Ｅ２は沸点７０℃以上１００℃未満の留分（容量％）、Ｅ３は沸点１００℃以上１３０℃未満の留分（容量％）、Ｅ４は沸点１３０℃以上１６０℃未満の留分（容量％）、Ｅ５は沸点１６０℃以上の留分（容量％）を表す。）
【請求項４】
１５℃における密度が０.６０ｇ／ｃｍ３以上０.７８ｇ／ｃｍ３以下であることを特徴とする請求項１〜３のいずれかに記載の予混合圧縮自己着火式エンジン用燃料。
【請求項５】
硫黄分が５０質量ｐｐｍ以下であることを特徴とする請求項１〜４のいずれかに記載の予混合圧縮自己着火式エンジン用燃料。
【発明の詳細な説明】
【技術分野】
【０００１】
本発明は、予混合圧縮自己着火式エンジン用の燃料に関し、詳しくは、予混合圧縮自己着火燃焼において優れた着火性を有し、エンジン出力並びにエンジン回転領域をできるだけ広げ、エンジン熱効率の向上を達成することができる予混合圧縮自己着火式エンジン用燃料に関する。
【背景技術】
【０００２】
今日、自動車用内燃機関としては、火花点火式ガソリンエンジンと圧縮自己着火式ディーゼルエンジンの二種類が広く使用されている。
火花点火式ガソリンエンジンは、吸気ポートあるいは燃焼室内に燃料を噴射して燃料と空気の予混合気を形成させ、スパークプラグによる電気放電で強制的に点火、燃焼させる方式であり、燃料特性として、蒸発しやすいこと、自己着火し難いこと、点火後は火炎伝播がスムーズに行われること等が求められる。火花点火式ガソリンエンジンにおいては、窒素酸化物（ＮＯｘ）、炭化水素（ＨＣ）、一酸化炭素（ＣＯ）が排出されるため、これらの浄化に三元触媒等が広く使用されている。しかし、三元触媒による排出ガス浄化システムは、燃料と空気との割合が理論空燃比近傍になる範囲にしか適用できないため、圧縮自己着火式ディーゼルエンジンと比較すると熱効率、燃費が著しく劣るという欠点がある。
【０００３】
一方、圧縮自己着火式ディーゼルエンジンは、圧縮工程でのピストン上昇により燃焼室内の空気が圧縮されて温度が上昇し、軽油の臨界温度以上に達したところに燃料を噴霧し自己着火燃焼させる方式であり、燃料特性には自己着火しやすいことが求められる。圧縮自己着火式ディーゼルエンジンは、燃費及び熱効率面に優れるものの燃料噴霧を圧縮上死点前３０クランク角度から圧縮上死点後１０クランク角度付近で行うため、燃焼時の温度分布に濃淡が生じ、ＮＯｘ及び煤の排出量が著しく高くなるという欠点がある。また圧縮自己着火式ディーゼルエンジンでは、排出ガス浄化のための触媒があまり普及しておらず、ＮＯｘが１００〜１２００質量ｐｐｍと非常に高いレベルで大気中に放出されるケースもある。
【０００４】
このように、従来の火花点火式ガソリンエンジンは、排出ガスの浄化はある程度できるが燃費や熱効率の面に課題があり、一方、圧縮自己着火式ディーゼルエンジンは、低燃費、高熱効率であるが、ＮＯｘ等の排出ガスの面に課題がある。このため、低ＮＯｘ排出ガス、低燃費及び高熱効率を同時に達成するという課題を解決すべく予混合圧縮自己着火式エンジンが現在検討されている。
予混合圧縮自己着火式エンジンは、燃料の噴射圧力レベルが２０ＭＰａ以下と圧縮自己着火式ディーゼルエンジンにおける噴射圧力に比べると著しく低い燃料噴射圧力にて燃料を吸気ポート又は燃焼室内に噴射し、そのサイクルで燃焼する燃料噴射を圧縮上死点前６０クランク角度以前に終了するシステムであって、燃料と空気との予混合気をスパークプラグによる強制点火ではなく、自己着火で燃焼させるエンジンである。予混合圧縮自己着火式エンジンは、従来の圧縮自己着火式ディーゼルエンジンに比べて燃料が噴射されてから燃焼の始まるまでの時間が長く、燃料が燃料室内で均一に混合されるため、燃焼時に局部的に温度の高い領域ができず、ＮＯｘ排出レベルを触媒未装着状態で１０質量ｐｐｍ以下に抑えることが可能となり、かつ燃費及び熱効率を圧縮自己着火式ディーゼルエンジン並みの低燃費、高効率にすることが可能である。
【０００５】
このような予混合圧縮自己着火式エンジン用の燃料としては、燃料の揮発性指標およびセタン価、オクタン価等の既存のガソリンエンジン、ディーゼルエンジンの着火性指標に
着目した燃料が提案されている（例えば、特許文献１参照。）。
また本発明者らも、予混合圧縮自己着火燃焼を効率よく行わせることができ、良好な性能を示す燃料をすでに数多く開発し特許出願を行っている（例えば、特許文献２〜１３参照。）。
しかしながら、予混合圧縮自己着火燃焼における熱効率や燃費の面でさらに優れた燃料の開発が望まれている。  
【特許文献１】特開２００４−３１５６０４号公報
【特許文献２】特開２００４−９１６５７号公報
【特許文献３】特開２００４−９１６５８号公報
【特許文献４】特開２００４−９１６５９号公報
【特許文献５】特開２００４−９１６６０号公報
【特許文献６】特開２００４−９１６６１号公報
【特許文献７】特開２００４−９１６６２号公報
【特許文献８】特開２００４−９１６６３号公報
【特許文献９】特開２００４−９１６６４号公報
【特許文献１０】特開２００４−９１６６５号公報
【特許文献１１】特開２００４−９１６６６号公報
【特許文献１２】特開２００４−９１６６７号公報
【特許文献１３】特開２００４−９１６６８号公報
【発明の開示】
【発明が解決しようとする課題】
【０００６】
本発明の目的は、予混合圧縮自己着火燃焼において優れた着火性を有し、エンジン出力並びにエンジン回転領域をできるだけ広げ、エンジン熱効率の向上を達成することができる予混合圧縮自己着火式エンジン用燃料を提供することにある。
【課題を解決するための手段】
【０００７】
本発明者らは、上記課題を解決するため、鋭意研究を重ねた結果、特定の組成を有し、かつ特定の要件を具備する燃料が予混合圧縮自己着火式エンジンの燃料に適していることを見いだし、本発明を完成するに至った。
すなわち、本発明は、以下の（ａ）、（ｂ）、（ｃ）および（ｄ）を満足することを特徴とする予混合圧縮自己着火式エンジン用燃料に関する。
（ａ）含有量が５容量％以下の炭化水素の合計含有量が３０容量％以上
（ｂ）リサーチ法オクタン価が６０以上９０未満
（ｃ）下記式（１）で示されるＨＣＣＩ  Ｉｎｄｅｘが２０以上５５以下
HCCI Index＝ＭＯＮ−0.424×Ａ−0.377×Ｂ−0.202×Ｃ−0.205×Ｄ   （１）
（式（１）中、ＭＯＮはモーター法オクタン価による計測値、Ａはノルマルパラフィン含有量（容量％）、Ｂはイソパラフィン含有量（容量％）、Ｃはオレフィン含有量（容量％）、Ｄは芳香族含有量（容量％）を表す。）
（ｄ）ナフテンの含有量が０容量％以上２０容量％以下
【０００８】
また本発明は、初留点が４５℃以下であり、終点が２１０℃以下であることを特徴とする前記記載の予混合圧縮自己着火式エンジン用燃料に関する。
【０００９】
また本発明は、式（２）で示されるＮＤＩが１００以上であることを特徴とする前記記載の予混合圧縮自己着火式エンジン用燃料に関する。
ＮＤＩ＝４×Ｅ１＋３×Ｅ２＋２×Ｅ３−１×Ｅ４−４×Ｅ５    （２）
（式（２）中、Ｅ１は沸点７０℃未満の留分（容量％）、Ｅ２は沸点７０℃以上１００℃未満の留分（容量％）、Ｅ３は沸点１００℃以上１３０℃未満の留分（容量％）、Ｅ４は沸点１３０℃以上１６０℃未満の留分（容量％）、Ｅ５は沸点１６０℃以上の留分（容量％）を表す。）
【００１０】
また本発明は、１５℃における密度が０.６０ｇ／ｃｍ３以上０.７８ｇ／ｃｍ３以下であることを特徴とする前記記載の予混合圧縮自己着火式エンジン用燃料に関する。
【００１１】
また本発明は、硫黄分が５０質量ｐｐｍ以下であることを特徴とする前記記載の予混合圧縮自己着火式エンジン用燃料に関する。
【発明の効果】
【００１２】
本発明の燃料は、予混合圧縮自己着火燃焼において優れた着火性を有し、予混合圧縮自己着火燃焼時のエンジン出力並びにエンジン回転領域をできるだけ広げ、エンジン熱効率の向上を達成することができる。
【発明を実施するための最良の形態】
【００１３】
以下に本発明を詳述する。
本発明における燃料は、予混合圧縮自己着火方式エンジンに適した燃料である。ここで予混合圧縮自己着火方式とは、下記（Ａ）、（Ｂ）及び（Ｃ）の条件下に燃料を噴射させ、自己着火により燃焼を行わせる燃焼形態をいう。
（Ａ）燃料噴射圧力：２０ＭＰａ以下
（Ｂ）燃料噴射位置：吸気ポート及び／又は燃焼室内部
（Ｃ）燃料噴射終了時期：圧縮上死点前６０クランク角度以前  
【００１４】
予混合圧縮自己着火方式は、従来のディーゼルエンジンなどにみられる圧縮自己着火方式と比較し、（Ａ）の燃料噴射圧力が著しく低く、（Ｃ）の燃料噴射終了時期、即ち、燃料が噴射されてから燃焼が始まるまでの時間がかなり長い。従って、予混合圧縮自己着火方式においては、燃料が燃焼室内で均一に混合されるため、燃焼室内において局部的に温度の高い領域ができず、窒素酸化物の排出量を触媒未装着状態で１０質量ｐｐｍ以下にすることができる。
なお、予混合圧縮自己着火方式は、ＨＣＣＩ(Homogeneous Charge Compression Ignition)、ＰＣＣＩ(Premixed Charge Compression Ignition)、ＰＣＩ(Premixed Compression Ignition)、ＣＡＩ(Controlled Auto-Ignition)、ＡＲ(Active Radical (Combustion) )と呼ばれることもある。
【００１５】
本発明の予混合圧縮自己着火式エンジン用燃料（以下、本発明の燃料ともいう。）は、蒸留性状や着火性のバランスが重要であり、多成分系燃料をベースとした燃料であることが求められる。このことから燃料中に含まれる５容量％以下の炭化水素の合計含有量が３０容量％以上であることが必要であり、好ましくは３５容量％以上、より好ましくは４０容量％以上である。
なお、異性体についてはそれぞれ別個の炭化水素としてカウントする。
【００１６】
本発明の燃料のリサーチ法オクタン価（ＲＯＮ）は、６０以上９０未満であることが必要であり、好ましくは６０以上８８以下、より好ましくは６０以上８６以下である。リサーチ法オクタン価が６０未満の場合はノッキングによりエンジンの熱効率の低下を招き、９０以上の場合には運転領域が狭まることにより予混合圧縮自己着火燃焼を成立させるために様々なデバイスを必要とするようになってしまうため好ましくない。
なお、ここでリサーチ法オクタン価（ＲＯＮ）は、ＪＩＳ  Ｋ２２８０「石油製品−燃料油−オクタン価試験方法及びセタン価試験方法並びにセタン指数算出方法」により測定されるリサーチ法オクタン価の値である。
【００１７】
本発明の燃料は、下記式（１）で示されるＨＣＣＩ Ｉｎｄｅｘが２０以上５５以下であることが必要であり、好ましくは２０以上５０以下である。
HCCI Index＝ＭＯＮ−0.424×Ａ−0.377×Ｂ−0.202×Ｃ−0.205×Ｄ   （１）
（式（１）中、ＭＯＮはモーター法オクタン価による計測値、Ａはノルマルパラフィン含有量（容量％）、Ｂはイソパラフィン含有量（容量％）、Ｃはオレフィン含有量（容量％）、Ｄは芳香族含有量（容量％）を表す。）
なお、ここでいうイソパラフィン分、ノルマルパラフィン分、オレフィン分および芳香族分のそれぞれの含有量は、ＪＩＳ  Ｋ２５３６「石油製品−成分試験方法」に準拠してガスクロマトグラフを利用して測定される値である。
【００１８】
燃料の着火性については、従来、リサーチ法オクタン価やモーター法オクタン価だけで表現されてきたが、予混合圧縮自己着火燃焼の場合は更に一歩踏み込んで組成も加味した指標が必要となる。式（１）で示されるＨＣＣＩ  Ｉｎｄｅｘは本発明者らが進めてきた研究より得られたもので、モーター法オクタン価に燃料の組成を組み合わせたものである。予混合圧縮自己着火燃焼ではモーター法オクタン価が同一で着火性が異なる例に関しても式（１）により表現をすることができるようになったものである。
【００１９】
本発明の燃料において、燃料中に含まれるナフテンの含有量は、０容量％以上２０容量％以下であることが必要であり、好ましくは０容量％以上１０容量％以下である。ナフテンの含有量が２０容量％を超えると予混合圧縮自己着火燃焼をする際の低温酸化反応が小さくなるため好ましくない。
【００２０】
本発明の燃料の初留点は４５℃以下であることが好ましい。初留点が４５℃を超えると始動性が悪化するため好ましくない。
本発明の燃料の５０容量％留出温度（Ｔ５０）は５０℃以上１３０℃以下であることが好ましく、より好ましくは５０℃以上１２０℃以下である。Ｔ５０が５０℃未満の場合は燃料が蒸発しすぎることに起因する運転性不良や出力低下を招き、また１３０℃を超えると燃料の蒸発が悪いことに起因する運転性不良と出力低下を招くため好ましくない。
本発明の燃料の終点は２１０℃以下であることが好ましい。終点が２１０℃を超えると蒸発特性が悪化し、すすや未燃の炭化水素が過度に排出されるため好ましくない。
なお、ここでいう初留点、Ｔ５０および終点は、ＪＩＳ  Ｋ２２５４「石油製品−蒸留試験方法−常圧法蒸留試験方法」によって測定される値である。
【００２１】
本発明の燃料は、下記式（２）で示されるＮＤＩが１００以上であることが好ましく、１２０以上であることがより好ましい。ＮＤＩが１００未満の場合はエンジン始動性不良をもたらしたり、加速の際に空気と燃料のバランスが崩れ運転性を著しく悪化させるため好ましくない。
ＮＤＩ＝４×Ｅ１＋３×Ｅ２＋２×Ｅ３−１×Ｅ４−４×Ｅ５    （２）
（式（２）中、Ｅ１は沸点７０℃未満の留分（容量％）、Ｅ２は沸点７０℃以上１００℃未満の留分（容量％）、Ｅ３は沸点１００℃以上１３０℃未満の留分（容量％）、Ｅ４は沸点１３０℃以上１６０℃未満の留分（容量％）、Ｅ５は沸点１６０℃以上の留分（容量％）を表す。）
【００２２】
本発明の燃料の１５℃における密度は、０.６０ｇ／ｃｍ３以上０.７８ｇ／ｃｍ３以下であることが好ましく、より好ましくは０.６５ｇ／ｃｍ３以上０.７８ｇ／ｃｍ３以下である。密度が０.６０ｇ／ｃｍ３未満の場合はベーパーロックなどが問題となるため好ましくない。また０.７８ｇ／ｃｍ３を超えるとアクセルレスポンスが鈍くなるため好ましくない。      
なお、ここでいう密度とは、ＪＩＳ  Ｋ２２４９「原油及び石油製品の密度試験方法並びに密度・質量・容量換算表」により測定される値である。
【００２３】
本発明の燃料において、燃料中の硫黄分は５０質量ｐｐｍ以下であることが好ましく、より好ましくは１０質量ｐｐｍ以下、さらに好ましくは５質量ｐｐｍ以下である。硫黄分が５０質量ｐｐｍを超えるとエンジンに装着した排出ガス浄化のための触媒が硫黄により被毒され、排出ガス浄化能力が低下する問題が生じ好ましくない。
なお、ここでいう硫黄分とは、ＪＩＳ  Ｋ２５４１「原油及び石油製品一硫黄分試験方法」により測定される値である。
【００２４】
本発明の燃料は、上述の通り所定の性状を有する燃料を得られさえすれば、その基材については特に制限されるものではなく、例えば、原油蒸留装置、ナフサ改質装置、アルキレーション装置等から得られるプロパンを中心とした直留系プロパン留分、ブタンを中心とした直留系ブタン留分、それらを脱硫した直留系脱硫プロパン留分、直留系脱硫ブタン留分、接触分解装置等から得られるプロパン・プロピレンを中心とした分解系プロパン留分、ブタン・ブテンを中心とした分解系ブタン留分、原油を常圧蒸留して得られるナフサ留分（フルレンジナフサ）、ナフサの軽質留分（軽質ナフサ）、ナフサの重質留分（重質ナフサ）、フルレンジナフサを脱硫した脱硫フルレンジナフサ、軽質ナフサを脱硫した脱硫軽質ナフサ、重質ナフサを脱硫した脱硫重質ナフサ、軽質ナフサを異性化装置でイソパラフィンに転化して得られる異性化ガソリン、イソブタン等の炭化水素化合物に低級オレフィンを付加（アルキル化）することによって得られるアルキレート、接触改質法で得られる改質ガソリン、改質ガソリンから芳香族分を抽出した残分であるラフィネート、改質ガソリンの軽質留分、改質ガソリンの中重質留分、改質ガソリンの重質留分、接触分解法、水素化分解法等で得られる分解ガソリン、分解ガソリンの軽質留分、分解ガソリンの重質留分、原油の常圧蒸留装置から得られる直留軽油および直留灯油、常圧蒸留装置から得られる直留重質油や残査油を減圧蒸留装置で処理して得られる減圧軽油、減圧重質軽油あるいは脱硫重油を接触分解または水素化分解して得られる接触分解軽油、接触分解灯油、水素化分解軽油または水素化分解灯油、これらの石油系炭化水素を水素化精製して得られる水素化精製軽油、水素化脱硫軽油、若しく水素化精製灯油、及び天然ガス等を一酸化炭素と水素とに分解した後にＦ−Ｔ（Ｆｉｓｃｈｅｒ−Ｔｒｏｐｓｃｈ）合成で得られるＧＴＬ（Ｇａｓ  ｔｏ  ｌｉｑｕｉｄｓ）のナフサ留分、灯油留分、軽油留分等の基材を１種又は２種以上混合して調製することができる。
【００２５】
本発明の燃料には、必要に応じて公知の燃料添加剤を添加しても良い。例えば、燃料添加剤としては、高級カルボン酸とアルコールアミンとのアミド化合物等の摩擦調整剤、コハク酸イミド、ポリアルキルアミン、ポリエーテルアミン等の清浄分散剤、Ｎ，Ｎ’−ジイソプロピル−ｐ−フェニレンジアミン、Ｎ，Ｎ’−ジイソブチル−ｐ−フェニレンジアミン、２，６−ジ−ｔ−ブチル−４−メチルフェノール、ヒンダードフェノール類等の酸化防止剤、Ｎ，Ｎ’−ジサリチリデン−１，２−ジアミノプロパン等のアミンカルボニル縮合化合物等の金属不活性化剤、有機リン系化合物等の表面着火防止剤、多価アルコール及びそのエーテル等の氷結防止剤、有機酸のアルカリ金属塩又はアルカリ土類金属塩、高級アルコール硫酸エステル等の助燃剤、アニオン系界面活性剤、カチオン系界面活性剤、両性界面活性剤等の帯電防止剤、アゾ染料等の着色剤、有機カルボン酸及びそれらの誘導体類、アルケニルコハク酸エステル等の防錆剤、ソルビタンエステル類等の水抜き剤、硝酸エステルや有機過酸化物等のセタン価向上剤、カルボン酸系、エステル系、アルコール系およびフェノール系の潤滑性向上剤、シリコン系などの消泡剤、エチレン−酢酸ビニル共重合体、アルケニルコハク酸アミド等の低温流動性向上剤、キニザリン、クマリン等の識別剤、着臭剤等が挙げられる。これらの添加剤は、単独若しくは混合物として添加することができ、これら添加剤全量が、燃料全量基準で０．５質量％以下、より好ましくは０．２質量％以下となるような割合で添加することが好ましい。なお、ここでいう添加剤全量とは、添加剤の有効成分としての添加量を意味している。
【００２６】
本発明の燃料は、主成分として炭化水素を含むが、その他に、エーテル、アルコール、ケトン、エステル、グリコール等の含酸素化合物を含有していてもよい。
含酸素化合物としては、例えば、メタノール、エタノール、ノルマルプロピルアルコール、イソプロピルアルコール、ノルマルブチルアルコール、イソブチルアルコール、ジメチルエーテル、ジイソプロピルエーテル、メチルターシャリーブチルエーテル（ＭＴＢＥ）、エチルターシャリーブチルエーテル（ＥＴＢＥ）、ターシャリーアミルメチルエーテル（ＴＡＭＥ）、ターシャリーアミルエチルエーテル、脂肪酸メチルエステル、脂肪酸エチルエステル等が挙げられる。
【００２７】
本発明の燃料は、前記含酸素化合物を含有することにより、排出ガス中の未燃炭化水素（ＨＣ）、微小粒子状物質等を低減することができる。また、バイオマス由来の含酸素化合物を使用した場合は、二酸化炭素削減等にも寄与する。しかし、場合によっては窒素化合物の増加を招く場合もあるので、含酸素化合物の含有割合は、酸素元素換算（酸素含有量）で燃料全量に対し２０質量％以下が好ましく、１０質量％以下がより好ましく、３質量％以下が最も好ましい。
【００２８】
本発明の燃料は、予混合圧縮自己着火方式エンジンに好適な燃料であるほか、予混合圧縮自己着火方式エンジンと、火花点火方式エンジン、ディーゼルエンジン、電気モーターエンジン、火花点火方式エンジンまたはディーゼルエンジンと電気モーターエンジンを組み合わせたハイブリッド式エンジン等を併用するエンジンに対しても適用することができる。
【実施例】
【００２９】
以下に、実施例及び比較例を挙げ、本発明を具体的に説明するが、本発明はこれらの例に限定されるものではない。
【００３０】
［実施例１〜６および比較例１〜６］
表１に示す組成に従って本発明の燃料（実施例１〜６）及び比較用の燃料（比較例１〜６）を常法により調製した。得られた各燃料の炭化水素化合物の含有割合、オクタン価（リサーチ法オクタン価、モーター法オクタン価）、蒸留性状の初留点と終点、硫黄分の測定結果とＨＣＣＩ  Ｉｎｄｅｘ値、ＮＤＩ値の計算結果を表１に併記した。
また、得られた各燃料を下記の予混合圧縮自己着火式エンジンを用いて、以下の試験を行い燃料の評価を実施した。結果を表２に示す。
【００３１】
（エンジン諸元）
エンジン種類：直列６気筒予混合圧縮自己着火式エンジン
排気量：２０００ｃｃ
圧縮比：１４
燃料噴射圧力：８ＭＰａ
【００３２】
（エンジン試験）
実施例及び比較例の燃料について、エンジン回転数：１５００ｒｐｍ、トルク：６５Ｎｍで、２４００サイクル分（４００サイクル分×６回）の燃焼圧力データ（分解能０．２５ＣＡｄｅｇ）を小野測器社製燃焼解析装置（型番ＤＳ２１００）を用いて採取し、以下の値を求めた。
（１）平均有効圧力の変動値（平均有効圧力変動幅／平均有効圧力）
（２）最大圧力上昇率
（３）実施例６に対する燃費改善率
（４）回転数上限
【００３３】
表２の結果から明らかなように、実施例の燃料は全て予混合圧縮自己着火燃焼に適正な最大圧力上昇率を示し、平均有効圧力も許容の範囲にある。一方、ＨＣＣＩ  Ｉｎｄｅｘ値が２０未満である比較例１及び比較例２の燃料は、最大圧力上昇率が大きく、激しいノッキングを生じており、予混合圧縮自己着火エンジン用燃料としては全く適していない。ＨＣＣＩ  Ｉｎｄｅｘ値が５５を超えている比較例３及び比較例４の燃料は燃焼のサイクル間変動が大きく問題のあるレベルにある。比較例５の燃料はノルマルヘプタン９３容量％とイソオクタン７容量％の２成分からなるオクタン価９３の正標準燃料であり、比較例６はナフテンが３０容量％以上含まれているケースである。比較例３、比較例４、比較例５、比較例６の燃料は、いずれも燃費面で全ての実施例の燃料に劣り、さらに可能エンジン回転領域の上限が低いことから、比較例３、比較例４、比較例５、比較例６の燃料は予混合圧縮自己着火エンジン用燃料としては全く適さない燃料である。
【００３４】
【表１】
2007291309.tif 000002
【表２】
2007291309.tif 000003